(57)【特許請求の範囲】
【請求項１】
複数のラインセンサで構成されるエリアセンサの蓄積時間制御方法であって、
前記複数のラインセンサの各々に異なる蓄積時間を設定し、
該設定した蓄積時間で前記複数のラインセンサに電荷を蓄積し、
該電荷の蓄積量に応じて前記エリアセンサに対する最適蓄積時間を決定する
ことを特徴とするエリアセンサの蓄積時間制御方法。
【請求項２】
前記最適蓄積時間の決定を、前記異なる蓄積時間の時間差を前記電荷の蓄積の度に狭める複数回の蓄積処理を実行した結果に基づいて行うことを特徴とする請求項１に記載のエリアセンサの蓄積時間制御方法。
【請求項３】
前記異なる蓄積時間の時間差を、２の累乗差にすることによって前記蓄積時間を設定することを特徴とする請求項１又は２に記載のエリアセンサの蓄積時間制御方法。
【請求項４】
前記複数回の蓄積処理における２回目以降の蓄積処理において設定される前記異なる蓄積時間は、前回の蓄積処理において絞り込まれた蓄積時間とその次に長く設定された蓄積時間との間の時間で設定されることを特徴とする請求項２に記載のエリアセンサの蓄積時間制御方法。
【請求項５】
前回の蓄積処理において絞り込まれた蓄積時間とその次に長く設定された蓄積時間との差を求め、該求めた差を前記複数のラインセンサの数で割り、該割った値の時間差で、前記複数回の蓄積処理における２回目以降の蓄積処理において前記異なる蓄積時間を設定することを特徴とする請求項４に記載のエリアセンサの蓄積時間制御方法。
【請求項６】
前記絞り込まれた蓄積時間は、前記蓄積された電荷が非飽和でかつ出力レベルが最も高い蓄積時間であることを特徴とする請求項４又は５に記載のエリアセンサの蓄積時間制御方法。
【請求項７】
複数のラインセンサで構成されるエリアセンサの蓄積時間制御装置であって、
前記複数のラインセンサの各々に異なる蓄積時間を設定する設定手段と、
該設定した蓄積時間で前記複数のラインセンサに電荷を蓄積する蓄積手段と、
該電荷の蓄積量に応じて前記エリアセンサに対する最適蓄積時間を決定する決定手段と
を備えたことを特徴とするエリアセンサの蓄積時間制御装置。
【請求項８】
前記最適蓄積時間の決定を、前記異なる蓄積時間の時間差を前記電荷の蓄積の度に狭める複数回の蓄積処理を実行した結果に基づいて行うことを特徴とする請求項７に記載のエリアセンサの蓄積時間制御装置。
【請求項９】
前記異なる蓄積時間の時間差を、２の累乗差にすることによって前記蓄積時間を設定することを特徴とする請求項７又は８に記載のエリアセンサの蓄積時間制御装置。
【請求項１０】
前記複数回の蓄積処理における２回目以降の蓄積処理において設定される前記異なる蓄積時間は、前回の蓄積処理において絞り込まれた蓄積時間とその次に長く設定された蓄積時間との間の時間で設定されることを特徴とする請求項８に記載のエリアセンサの蓄積時間制御装置。
【請求項１１】
前回の蓄積処理において絞り込まれた蓄積時間とその次に長く設定された蓄積時間との差を求め、該求めた差を前記複数のラインセンサの数で割り、該割った値の時間差で、前記複数回の蓄積処理における２回目以降の蓄積処理において前記異なる蓄積時間を設定することを特徴とする請求項１０に記載のエリアセンサの蓄積時間制御装置。
【請求項１２】
前記絞り込まれた蓄積時間は、前記蓄積された電荷が非飽和でかつ出力レベルが最も高い蓄積時間であることを特徴とする請求項１０又は１１に記載のエリアセンサの蓄積時間制御装置。
【請求項１３】
コンピュータに、請求項７に記載の方法を実行させるためのプログラムを格納した記憶媒体。
【発明の詳細な説明】
【０００１】
【発明の属する技術分野】
本発明は、デジタルスチルカメラ及び銀塩カメラ等撮像センサを用いた蓄積時間制御方法およびその蓄積時間制御装置に関し、特に、自動焦点検出用に撮像センサを用いる蓄積時間制御方法およびその蓄積時間制御装置に関する。
【０００２】
【従来の技術】
入射光を電荷に変換して蓄積するために一列に並べられた画素の集まり（ラインセンサまたはライン）を複数有する撮像エリアセンサにおいて、画素に含まれる光電変換部によって変換された電荷の蓄積時間を制御する一般的な方法では、全画面について一律で前回の蓄積時間及びその撮像結果から次回の蓄積時間を決定して、制御を実施する。
【０００３】
例えば、特開平９−１８１９５５号公報には、焦点調節用の画像を得るための第１の撮像モードと出力／記録用の画像を得るための第２の撮像モードを有し、第１と第２の撮像モードとで蓄積時間制御の範囲を異ならせる事例が開示されている。この事例によれば、焦点調節用画像を得るための撮像動作で、蓄積される電荷の飽和によりＡＦ動作が不可能となる事態が発生するという問題を回避するために、多少画質的に問題があっても出力／記録用撮像動作より蓄積時間を短めに設定する。
【０００４】
一方、特開平３−１８１２８３号公報には、エリアセンサ内のあるラインを蓄積制御する場合に、この近傍のラインを非蓄積型のセンサとして用い、平均光量を検出するためのモニタ動作をさせる事例が開示されている。これにより、必要な任意位置の画素列の近傍にモニタ素子を配置したと同様な構成が可能となり、エリアセンサに対しても信号が必要な任意部分のラインの蓄積制御が実時間で行うことができるとしている。
【０００５】
【発明が解決しようとする課題】
上述した特別な蓄積動作機能を簡単に実現できれば理想的な蓄積時間制御が可能となるが、実際には先の例のように、目的に応じて蓄積時間の制御範囲を変化させる手法が一般的である。
【０００６】
しかしながら、この制御範囲を変化させる手法では、当然エリアセンサ全体での一括制御となるため、最適な蓄積時間とするには複数回の蓄積／読み出しを余儀なくされてしまう。特に、撮像センサを焦点検出動作に用いる場合、最適な蓄積時間に追い込むのに時間がかかってしまうという問題があった。
【０００７】
本発明は、このような問題を解決するためになされたものであり、その目的とするところは、最適な蓄積時間が短時間で設定可能な蓄積時間制御方法およびその蓄積時間制御装置を提供することにある。
【０００８】
【課題を解決するための手段】
このような目的を達成するために、請求項１に記載の発明は、複数のラインセンサで構成されるエリアセンサの蓄積時間制御方法であって、前記複数のラインセンサの各々に異なる蓄積時間を設定し、該設定した蓄積時間で前記複数のラインセンサに電荷を蓄積し、該電荷の蓄積量に応じて前記エリアセンサに対する最適蓄積時間を決定することを特徴とする。
【０００９】
また、請求項２に記載の発明は、前記最適蓄積時間の決定を、前記異なる蓄積時間の時間差を前記電荷の蓄積の度に狭める複数回の蓄積処理を実行した結果に基づいて行うことを特徴とする。
【００１０】
また、請求項３に記載の発明は、前記異なる蓄積時間の時間差を、２の累乗差にすることによって前記蓄積時間を設定することを特徴とする。
【００１１】
また、請求項４に記載の発明は、前記複数回の蓄積処理における２回目以降の蓄積処理において設定される前記異なる蓄積時間は、前回の蓄積処理において絞り込まれた蓄積時間とその次に長く設定された蓄積時間との間の時間で設定されることを特徴とする。
【００１２】
また、請求項５に記載の発明は、前回の蓄積処理において絞り込まれた蓄積時間とその次に長く設定された蓄積時間との差を求め、該求めた差を前記複数のラインセンサの数で割り、該割った値の時間差で、前記複数回の蓄積処理における２回目以降の蓄積処理において前記異なる蓄積時間を設定することを特徴とする。
【００１３】
また、請求項６に記載の発明は、前記絞り込まれた蓄積時間は、前記蓄積された電荷が非飽和でかつ出力レベルが最も高い蓄積時間であることを特徴とする。
【００１４】
また、請求項７に記載の発明は、複数のラインセンサで構成されるエリアセンサの蓄積時間制御装置であって、前記複数のラインセンサの各々に異なる蓄積時間を設定する設定手段と、該設定した蓄積時間で前記複数のラインセンサに電荷を蓄積する蓄積手段と、該電荷の蓄積量に応じて前記エリアセンサに対する最適蓄積時間を決定する決定手段とを備えたことを特徴とする。
【００１５】
また、請求項８に記載の発明は、前記最適蓄積時間の決定を、前記異なる蓄積時間の時間差を前記電荷の蓄積の度に狭める複数回の蓄積処理を実行した結果に基づいて行うことを特徴とする。
【００１６】
また、請求項９に記載の発明は、前記異なる蓄積時間の時間差を、２の累乗差にすることによって前記蓄積時間を設定することを特徴とする。
【００１７】
また、請求項１０に記載の発明は、前記複数回の蓄積処理における２回目以降の蓄積処理において設定される前記異なる蓄積時間は、前回の蓄積処理において絞り込まれた蓄積時間とその次に長く設定された蓄積時間との間の時間で設定されることを特徴とする。
【００１８】
また、請求項１１に記載の発明は、前回の蓄積処理において絞り込まれた蓄積時間とその次に長く設定された蓄積時間との差を求め、該求めた差を前記複数のラインセンサの数で割り、該割った値の時間差で、前記複数回の蓄積処理における２回目以降の蓄積処理において前記異なる蓄積時間を設定することを特徴とする。
【００１９】
また、請求項１２に記載の発明は、前記絞り込まれた蓄積時間は、前記蓄積された電荷が非飽和でかつ出力レベルが最も高い蓄積時間であることを特徴とする。
【００２０】
また、請求項１３に記載の発明は、コンピュータに、請求項７に記載の方法を実行させるためのプログラムを格納した記憶媒体である。
【００２１】
本発明では、エリアセンサ内の複数のラインの各々に異なる時間で蓄積させ、それぞれの蓄積結果から次回の蓄積時間を決定する。複数のラインの各々に蓄積時間を設定するため、次回の蓄積時間に対し精度の高い設定が一度の蓄積動作で可能になり、全体として最適な蓄積時間設定が短時間で可能となる。
【００２２】
上記のように、エリアセンサ内の複数のラインの各々に異なる蓄積時間を設定し、更にライン毎に設定する蓄積時間の差を前回より狭めていき、効率よく最適な蓄積時間を決定する。また、最初の蓄積時間を２の累乗差で設定すると最初の蓄積時間の設定幅が広くなり、より多くの撮影シーンへの対応が可能となる。
【００２３】
【発明の実施の形態】
以下、図面を参照し、本発明の実施の形態について詳細に説明する。
【００２４】
図１は、本発明の実施例を説明するために複数のラインで構成されたエリアセンサの８ライン（行）部分を示す。なお、本実施形態では、各ラインの画素数、すなわち列の数は任意とする。説明の便宜上、各ラインには上から（０）〜（７）のライン番号が付されている。図１に示すように、各ラインごとに、センサが密に集まっている。
【００２５】
図２は、図１に示された（０）〜（７）の各ラインに設定する電荷の蓄積時間の差を明確に示す。各番号は、図１のライン番号に相当する。ここで、（０）番目のラインの蓄積時間Ｔ０をＸとした場合、図２の例に示すように、ライン（１）はそれよりも長い時間、ライン（２）は更に長い時間とし、番号が大きくなるにつれ蓄積時間を長く設定している。なお、ここで示される蓄積時間の順序は説明の便宜上のものであり、当然逆の順序であってもよい。
【００２６】
図２に示す例では、ライン（ｙ）における蓄積時間Ｔｙを
Ｔｙ  ＝  Ｘ  ×  ２y
とし、蓄積時間の時間差を２の累乗差とし、ライン番号が増える毎に光が当る時間が２倍になるようにしている。言いかえれば、ライン番号が増える毎に蓄積される電荷の量は２倍となる。これは、カメラ等の露光量でいう一段刻みの設定である。従って、８ラインの例では８段の範囲で蓄積時間が設定される。つまり、ｎラインであればｎ段の範囲で蓄積時間が設定されることとなる。
【００２７】
このように、各ラインの蓄積時間を変え、一回の電荷の蓄積動作での蓄積時間設定範囲を広げることにより、次回の蓄積動作に対する蓄積時間の設定を簡単に絞り込むことが可能となる。
【００２８】
たとえば、図２における各ライン（ｙ）の蓄積時間Ｔｙにより、ライン（５）では電荷は飽和せずに、ライン（６）で飽和したとする。即ち、ここではライン（５）に対する蓄積時間Ｔ５の設定が一番良かったことになる。言いかえれば、蓄積時間Ｔ５は撮像結果が非飽和で出力レベルが最も高い最適な蓄積時間である。なお、ここでいう出力レベルとは、電圧あるいは電圧を数値に変換した値のいずれも含む。
【００２９】
次の各ラインに対する蓄積時間の設定は、この撮像結果に基づいて設定する。
つまり、変更される蓄積時間はライン（５）に設定した時間Ｔ５以上、ライン（６）に設定した時間Ｔ６未満となる。
【００３０】
図３は、蓄積時間の関係を示す。なお、以下の説明では、各ライン（ｙ）のｎ回目の蓄積を符号（ｙ−ｎ）で表す。したがって、図３に示す例では、上記で説明した方法による１回目の各ライン（ｙ）の蓄積（ｙ−１）と２回目の蓄積（ｙ−２）での蓄積時間の関係を示している。
【００３１】
１回目の蓄積時間で注目すべきはライン（５）に対するＴ５とライン（６）に対するＴ６である。それぞれは（５−１）、（６−１）で示している。ここで、この２つの時間差をｄＸとする。即ち、Ｔ６−Ｔ５＝ｄＸである。
【００３２】
２回目の各ライン（ｙ）に設定する蓄積時間（ｙ−２）は、図３に示すように、ライン（０）に対してはＴ５と同じ時間。ライン（１）に対してはＴ５に対してｄＸ／８だけ長くした時間を設定する。同様に、ライン（２）に対しては更にｄＸ／８だけ長くした蓄積時間を設定するといった具合である。したがって、各ライン（ｙ）に設定する２回目の蓄積時間（ｙ−２）は、図３に示すようになる。そして、ライン（７）に対して設定する蓄積時間は１回目で飽和した蓄積時間Ｔ６よりｄＸ／８だけ短く設定する。これらの設定は、最低前回と同じ出力レベルが得られる蓄積時間から、前回飽和した時間未満までとなる。
【００３３】
なお、ｄＸ／８における８は、本実施形態の説明における総ライン数であることは当業者にとって自明である。つまり、ライン数が多ければそれだけきめ細かく設定可能となる。
【００３４】
以上説明したように、一度の蓄積動作において複数のライン毎に異なる蓄積時間を設定することにより、ライン数に応じた範囲および精度で、最適蓄積時間のサーチおよびその決定が可能となる。
【００３５】
図４は、上述したような制御をエリアセンサに対して行う制御上の構成を示す。図４において、エリアセンサ４０１は複数のラインを有しており、個々のラインにおいて蓄積時間の設定が可能である。この制約においてはＣ−ＭＯＳセンサが有効である。ＴＧ（Timing  Generator）４０３は、このエリアセンサに対して各種動作のタイミング信号を出力するタイミングゼネレータＩＣである。Ａ／Ｄ−ＣＤＳ（ノイズ除去装置）４０２は、エリアセンサの出力信号をＡ／Ｄ変換し、ノイズ除去等を行うＩＣである。ＣＰＵ（Central  Processing  Unit）４０４は以上の各機能を統括的に制御する中央演算制御装置、いわゆるマイコンである。
【００３６】
なお、最近ではセンサにＴＧ、Ａ／Ｄ、ＣＤＳ機能を盛り込んだ１チップ化が進んでいる。特に、先述のＣ−ＭＯＳセンサはＣＣＤセンサに較べてこの用途に適したプロセスであるため、特に顕著である。また、ＣＰＵと不図示の画像処理用ＤＳＰとの１チップ化も進んでいる。
【００３７】
図５は、上述した蓄積制御の手順の概略を示す。
【００３８】
まず、ステップＳ１０１で図２により説明したようなライン毎に幅の広い１回目の蓄積時間の設定を行う。
【００３９】
ステップＳ１０２では、実際に蓄積・読み出し動作を行う。その結果により、ステップＳ１０３で次回への蓄積時間の絞り込みが成功したかどうかを判断する。ここでは、飽和しないレベルが得られれば絞り込み成功となる。
【００４０】
ステップＳ１０３で絞り込みが成功した場合、そのままステップＳ１０４に移行し、図３で説明したようにライン毎により細かい蓄積時間の設定を行う。一方、全て飽和してしまった場合などは絞り込み失敗なので、再びステップＳ１０１にて設定範囲を変更して絞り込みを行う。ステップＳ１０４で設定した時間による蓄積結果をステップＳ１０５で読み出し、最終的な蓄積時間が適切に絞りこめたかをステップＳ１０６で判断する。
【００４１】
ステップＳ１０６の判断の結果、目標どおりの最適な蓄積時間が絞りこめれば、その時間でセンサ全域に蓄積するようにステップＳ１０７で設定を行い、ステップＳ１０６で蓄積・読み出しを行い、蓄積制御終了となる。
【００４２】
万一失敗した場合は、ステップＳ１０４に戻り、その結果から蓄積時間を再設定する。
【００４３】
なお、このような蓄積動作によって得られたセンサの出力は、画像出力や表示、または焦点検出等の種々の目的・用途に使用することができるため、ここでは特に限定しない。
【００４４】
以上説明してきた実施形態では、ライン毎に時間を異ならせる蓄積動作を少なくとも２回行っている。しかしながら、２回目の設定は基本的に前回の蓄積結果から線形に蓄積時間の絞り込みを行っていることになる。従って、１回目で飽和しない蓄積結果が得られれば、２回目はその結果から演算で最終蓄積時間を求めることとしても良い。
【００４５】
次に、上述した方法を採用した蓄積制御の手順を、図６に示す。ステップＳ２０１からＳ２０３の動作は、図５と同様である。ステップＳ２０４では、絞り込みの結果に従って飽和しない蓄積時間を演算で求め、センサ全域の最終蓄積時間の設定を行う。
【００４６】
ステップＳ２０５で蓄積・読み出しを行うが、万一に備えて、ステップＳ２０６で結果の判断を行い、問題がなければそのまま蓄積制御を終了し、問題があった場合は再度ステップＳ２０４へ戻って繰り返す制御を行う。
【００４７】
次に、上記で説明した蓄積時間制御を行う固体撮像素子（撮像装置）を用いた撮像システムについて、図７を参照して説明する。図７において、バリア１は、レンズのプロテクトとメインスイッチを兼ねる。レンズ２は、被写体の光学像を固体撮像素子４に結像させる。絞り３は、レンズ２を通った光量を可変するために使用される。固体撮像素子４は、レンズ２で結像された被写体を画像信号として取り込むために使用される。
【００４８】
撮像信号処理回路5は、固体撮像素子4から出力される画像信号を増幅するゲイン可変アンプ部及びゲイン値を補正するためのゲイン補正回路部等を含む。Ａ／Ｄ変換器６は、固体撮像素子４より出力される画像信号のアナログ−ディジタル変換を行う。信号処理部７は、Ａ／Ｄ変換器６より出力された画像データに各種の補正を行ったり、データを圧縮する。タイミング発生部８は、固体撮像素子４、撮像信号処理回路５、Ａ／Ｄ変換器６または信号処理部７に対し、各種タイミング信号を出力する。
【００４９】
全体制御・演算部９は、各種演算とスチルビデオカメラ全体を制御する。メモリ部１０は画像データを一時的に記憶するために使用される。インターフェース部１１は、記録媒体に記録または読み出しを行うために使用される。記録媒体１２は、画像データの記録または読み出しを行う半導体メモリ等であって、撮像システムに着脱できるように構成される。インターフェース部１３は、外部コンピュータ等と通信するために使用される。
【００５０】
次に、上述したように構成されたスチルビデオカメラにおける撮影時の動作について説明する。
【００５１】
バリア１がオープンされるとメイン電源がオンされ、次にコントロール系の電源がオンし、更にＡ／Ｄ変換器６などの撮像系回路の電源がオンされる。露光量を制御するために、全体制御・演算部９は絞り３を開放にし、固体撮像素子４から出力された信号はＡ／Ｄ変換器６で変換された後、信号処理部７に入力される。
【００５２】
そのデータを基に、全体制御・演算部９で露出の演算を行う。この測光を行った結果により明るさを判断し、その結果に応じて全体制御・演算部９は絞りを制御する。
【００５３】
次に、固体撮像素子４から出力された信号をもとに、高周波成分を取り出し被写体までの距離の演算を全体制御・演算部９で行う。その後、レンズを駆動して合焦か否かを判断し、合焦していないと判断した場合は、再びレンズを駆動し測距を行う。そして、合焦が確認された後に本露光が始まる。
【００５４】
露光が終了すると、固体撮像素子４から出力された画像信号はＡ／Ｄ変換器６でＡ／Ｄ変換され、信号処理部７を通って全体制御・演算部９によりメモリ部に書き込まれる。
【００５５】
その後、メモリ部１０に蓄積されたデータは、全体制御・演算部９の制御により記録媒体制御Ｉ／Ｆ部を通り半導体メモリ等の着脱可能な記録媒体１２に記録される。また、外部Ｉ／Ｆ部１３を通り、直接コンピュータ等に入力して画像の加工を行ってもよい。
【００５６】
なお、本発明は、上述した実施の形態の機能を実現するソフトウェアのプログラムコードを記憶した記憶媒体を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。
【００５７】
この場合、記憶媒体から読み出されたプログラムコード自体が本発明の新規な機能を実現することになり、そのプログラムコードを記憶した記憶媒体は本発明を構成することになる。
【００５８】
プログラムコードを供給するための記憶媒体としては、例えば、フロッピーディスク、ハードディスク、光磁気ディスク、光ディスク、ＣＤ−ＲＯＭ、ＣＤ−Ｒ、磁気テープ不揮発性のメモリカード、ＲＯＭなどを用いることができる。
【００５９】
また、コンピュータが読み出したプログラムコードを実行することによって、上述した実施の形態の機能が実現される他、そのプログラムコードの指示に基づき、コンピュータ上で稼動しているＯＳなどが実際の処理の一部または全部を行い、その処理によっても前述した実施の形態の機能が実現され得る。
【００６０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によっても前述した実施の形態の機能が実現され得る。
【００６１】
本発明は、前述した実施の形態の機能を実現するソフトウェアのプログラムコードを記録した記憶媒体からそのプログラムをパソコン通信など通信ラインを介して要求者にそのプログラムを配信する場合にも適用できることは言うまでもない。
【００６２】
【発明の効果】
以上説明したように、本発明によれば、複数のライン毎に異なる蓄積時間を設定するため、次回の蓄積時間に対し精度の高い設定が一度の蓄積動作で可能になり、短時間で最適な蓄積時間を設定することができる。
【００６３】
また、エリアセンサ内の複数のライン毎に異なる蓄積時間を設定し、更にライン毎に設定する蓄積時間の差を前回より狭めていき、効率よく最適な蓄積時間を決定できる。
【００６４】
また、最初の蓄積時間を２の累乗差で設定すると最初の蓄積時間の設定幅が広くなり、より多くの撮影シーンへの対応が可能となる。
【００６５】
さらに、次回以降のセンサ全域による最適蓄積時間へと少ない回数の蓄積動作で導くことが可能となるため、装置全体の高速化に有効となる。
【図面の簡単な説明】
【図１】本発明の一実施形態の蓄積動作を説明するためのエリアセンサの一部分を示す図である。
【図２】本発明の一実施形態の蓄積動作を説明するための蓄積時間タイミング図である。
【図３】本発明の一実施形態の蓄積動作を説明するための蓄積時間タイミング図である。
【図４】本発明の一実施形態の蓄積動作を行うための制御ブロック構成図である。
【図５】本発明の一実施形態の蓄積動作の動作を示すフローチャートである。
【図６】本発明の一実施形態の蓄積動作の動作を示すフローチャートである。
【図７】本発明の一実施形態の蓄積時間制御を行う固体撮像素子を用いた撮像システムのハードウェア構成図である。
【符号の説明】
１  バリア
２  レンズ
３  絞り
４  固体撮像素子
５  撮像信号信号処理回路
６  Ａ／Ｄ変換機
７  信号処理部
８  タイミング発生部
９  全体制御・演算部
１０  メモリ部
１１  インターフェース部
１２  記録媒体
１３  インターフェース部
４０１  エリアセンサ
４０２  Ａ／Ｄ−ＣＤＳ
４０３  ＴＧ
４０４  ＣＰＵ
Ｘ  最短設定蓄積時間
ｄＸ  時間差
ＴＧ  タイミングゼネレータ
ＣＤＳ  ノイズ除去装置
ＣＰＵ  中央演算制御装置
【図１】
0004553339.tif 000002
【図２】
0004553339.tif 000003
【図３】
0004553339.tif 000004
【図４】
0004553339.tif 000005
【図５】
0004553339.tif 000006
【図６】
0004553339.tif 000007
【図７】
0004553339.tif 000008